(57)【特許請求の範囲】
【請求項１】
回転圧入される杭体５の外周部には攪拌翼４を配し、且つ杭体５下端部には杭体の上下攪拌作用によって作動する懸垂装置６と連結した結合解除自在もしくは脱着可能な攪拌蓋９を枢着し、モーター１及び回転攪拌装置２により杭体５を所定の位置及び深度まで回転圧入し、該回転圧入した杭体５にセメントミルク１９ａを充填し、次に該セメントミルク１９ａの充填された杭体５を回転させながら、上方へ向かって引抜いていき、この時、杭体５内部に充填されたセメントミルク１９ａは、杭体５の引抜き作用によって作動する懸垂装置６によって開口した杭体５先端部より杭体５外部へ排出し、杭体５の上下及び回転作用によって排出されたセメントミルクは杭体外周部に配した攪拌翼によって既存土と混合攪拌され、杭体５下端部及び外部全体を地盤改良でき、セメントミルク１９ａを排出しながら回転且つ攪拌し、同時に引き抜かれている杭体５を、先端部まで地上に引抜いたなら、既に既存土３とセメントミルク１９ａとを混合攪拌した該柱状改良体に再び回転圧入し、所定の深度に杭体５が達したなら、再びセメントミルク１９ｂを充填して、中空の杭体５を改良体内に内蔵する鋼管回転圧入セメントミルク攪拌工法。
【請求項２】
杭体５外周部に攪拌翼４を一定間隔に配置することによって、地盤への回転圧入攪拌が可能で且つ杭体５下端部には杭体の上下攪拌作用によって作動する懸垂装置６と連結した結合解除自在もしくは脱着可能な攪拌蓋９を枢着することで、杭体５を回転攪拌引き上げと同時に下端開口部からセメントミルクを排出するとともに、杭体５の上下及び回転作用によって排出されたセメントミルクは杭体外周部に配した攪拌翼によって既存土と混合攪拌され、杭体５下端部及び外部全体を地盤改良でき、セメントミルク１９ａを排出しながら回転且つ攪拌し、同時に引抜かれている杭体５を、先端部まで地上に引抜いたなら、既に既存土３とセメントミルク１９ａとを混合攪拌した該柱状改良体に再び回転圧入し、所定の深度に杭体５が達したなら、再びセメントミルク１９ｂを充填して、中空の杭体５を改良体に内蔵する鋼管回転圧入セメントミルク攪拌杭。
【発明の詳細な説明】
【０００１】
【産業上の利用分野】
本発明は、主に中小規模の建築物の不同沈下防止、また簡易連続壁等の架設土留め、擁壁等の基礎杭及びアンダーピーニング等、地盤を補強且つ改良すべく形成された杭体外周部及び先端部を既存土とセメントミルクによって混合攪拌改良し、且つ改良体内部に杭体を内臓すべく施工される鋼管回転圧入セメントミルク攪拌工法及び鋼管回転圧入セメントミルク攪拌杭に関する。
【０００２】
【従来の技術】
従来、中小規模の建築物を構築する場合において、施工計画地の地盤が軟弱であるときには、柱状改良体による柱状改良工法、地盤表層部を改良する表層改良工法、杭体を用いた杭工法などがあったが、いずれも杭体を用いた地盤改良と杭工法を同時的に行えるものとはいえない。
【０００３】
地盤の補強工法を選定し、確実な支持地盤に支持力を求める場合、その支持地盤が数メートル以上の深度を超える場合は施工機械が大型のものを選定する必要がある。しかし、敷地及び搬入路が狭小である場合が多く、コストを含めて現実の施工は困難である。
【０００４】
また、杭体及び改良体に杭体を埋め込む施工でも機械の大型化、作業工程の過大化を招く場合が多かった。
【０００５】
【発明が解決しようとする課題】
本発明は、前述した事情に鑑みてなされたものであり、同一機械にて杭体回転圧入及びセメントミルクと既存土との攪拌行為を同時的に行なうことができ、よって施工工程の大幅な短縮、コスト減、設備プラント及び施工機械の簡素化を図ることのできる鋼管回転圧入セメントミルク攪拌工法及び鋼管回転圧入セメントミルク攪拌杭である。
【０００６】
【課題を解決する為の手段】
回転圧入される杭体の外周部には攪拌翼を配し、且つ先端部には懸垂装置及び杭体ガイド、攪拌蓋が枢着し、且つ杭体の圧入及び引き抜きにより懸垂装置を利用し、杭体内のセメントミルクの排出ができ、且つ上下及び回転作動によって、セメントミルクと既存土との攪拌行為が行え、且つ該改良体の中に中空の杭体を内臓すべく施工する事のできる鋼管回転圧入セメントミルク攪拌工法及び鋼管回転圧入セメントミルク攪拌杭である。
【作用】
【０００７】
モーター１及び回転攪拌装置２により杭体５を所定の位置及び深度まで回転圧入し（図１）、該回転圧入した杭体５にセメントミルク１９ａを充填し（図２）、次に該セメントミルク１９ａの充填された杭体５を回転させながら、上方へ向かって引き抜いていく（図３）。この時、杭体５内部に充填されたセメントミルク１９ａは、杭体５の引き抜き作用によって作動する懸垂装置６によって開口した杭体５先端部より杭体５外部へ排出し、上下且つ回転作動する杭体５の攪拌翼４によって、既存土３と混合攪拌されるのである。（図３，図４）
【０００８】
セメントミルク１９ａを排出しながら回転且つ攪拌し、同時に引き抜かれている杭体５を、先端部まで地上に引き抜いたなら、既に既存土３とセメントミルク１９ａとを混合攪拌した該柱状改良体に再び回転圧入する。所定の深度に杭体５が達したなら、再びセメントミルク１９ｂを充填する。そして、該記の（図２）から（図４）までの作用を再び行い、最終的に杭体５を所定の深度まで挿入し、以て杭体５を軸として杭体５外周部全面にセメントミルク１９ａ及びセメントミルクｂと既存土３との混練土１４を配した、地盤補強体が施工されるのである。
【実施例】
【０００９】
図１は、モーター１及び回転攪拌装置２により杭体５を所定の位置及び深度まで回転圧入し、図２は、該回転圧入した杭体５にセメントミルク１９ａを充填している状況を示しており、図３は、該セメントミルク１９ａの充填された杭体５を回転させながら、上方へ向かって引き抜いていく状態を示しており、図４は、杭体を再度回転圧入しながら、セメントミルクと該存土の混練度１４をさらに攪拌している状況を示している。図５は、所定の深度まで杭体を攪拌回転圧入し、セメントミルクと杭体が一体となった状況を示すものである。
【００１０】
セメントミルク１９ａを排出しながら回転且つ攪拌し、同時に引き抜かれている杭体５を、先端部まで地上に引き抜いたなら、既に既存土３とセメントミルク１９ａとを混合攪拌した該柱状改良体に再び回転圧入する。所定の深度に杭体５が達したなら、再びセメントミルク１９ｂを充填する。そして、該記の（図２）から（図４）までの作用を再び行い、最終的に杭体５を所定の深度まで挿入し、以って杭体５を軸として杭体５外周部全体にセメントミルク１９ａ及びセメントミルク１９ｂと既存土３との混練土１４を配した、地盤補強体が施工されるのである。
【発明の効果】
【００１１】
以上詳細に説明した本発明によれば、総じて以下のような効果を発揮するものである。
【００１２】
セメントミルクを複数回充填し、同時的に回転攪拌できるので、施工後の改良効果が絶大である。
【００１３】
地盤改良と杭施工を同一機械にて同時的に行う事ができるので、施工工程を大幅に短縮でき、よって必然的に施工コストの減縮を図れるものである。
【図面の簡単な説明】
【図１】  本発明の一実施例を示す杭体回転圧入時の正面図である。
【図２】  本発明の一実施例を示す該回転圧入時された杭体にセメントミルクを充填した状態の正面図である。
【図３】  本発明の一実施例を示す杭体を回転させながら引き抜き、セメントミルクを排出させ、既存土と攪拌している状況を示す正面図である。
【図４】  本発明の一実施例を示す該杭体を再び十分に回転攪拌させながら圧入している状況を示す正面図である。
【図５】  本発明の一実施例を示す所定の深度まで杭体を攪拌回転圧入した状況を示す正面図である。
【図６】  杭体先端部の懸垂装置及び杭ガイドを示す側面図である。
【図７】  杭体引き抜き攪拌時の懸垂装置が作用し、セメントミルクを排出している状況を示す側面図である。
【符号の説明】
１・・・モーター  ２・・・回転攪拌  ３・・・該存土  ４・・・攪拌翼  ５・・・杭体  ６・・・懸垂装置  ７・・・杭体ガイド  ８・・・先端回転翼  ９・・・攪拌蓋  １０・・・蛇口  １１・・・引っかかり翼  １２・・・セメントミルクと既存土の混合土  １４・・・セメントミルクと既存土の混練土  １９ａｂ・・・セメントミルク
【図１】
0004032084.tif 000002
【図２】
0004032084.tif 000003
【図３】
0004032084.tif 000004
【図４】
0004032084.tif 000005
【図５】
0004032084.tif 000006
【図６】
0004032084.tif 000007
【図７】
0004032084.tif 000008